(57)【特許請求の範囲】
【請求項１】
交差する二つの被取付け面に取付け可能な取付けベースに、これとの間で前記交差方向に沿う長尺体用配設空間を形成する横断面形状がコの字状のコーナーカバーが脱着自在に取付けられているコーナー用化粧カバーであって、
前記コーナーカバーにおける一方の被取付け面側に位置する第１カバー部が、他方の被取付け面側に位置する第２カバー部に連続する中間カバー体と、一方の被取付け面に形成された貫通孔に挿通される長尺体の屈曲部分及び前記貫通孔の周囲を覆う端部カバー体とに分割構成され、この端部カバー体が前記中間カバー体に対して重合部分を維持したまま軸線方向に伸縮移動自在に装着されているとともに、前記端部カバー体の左右側壁部の内側下端部と中間カバー体の左右側壁部の外側下端部との相対向する部位には、中間カバー体の軸線方向に沿うガイド溝と、このガイド溝に対して移動自在に嵌合するガイド突起とを備え、前記中間カバー体に対して端部カバー体を軸線方向にのみ伸縮移動自在に係合状態で案内する伸縮ガイド手段が設けられ、さらに、前記中間カバー体の左右側壁部の内側下端部には、前記取付けベースの左右側辺部に形成された係止爪が係合する係止部が形成されているコーナー用化粧カバー。
【請求項２】
前記中間カバー体の左右側壁部の下端部を内方側に段状に突出形成して、その段状部分の内側上面を取付けベースの係止爪が係脱可能な前記係止部に構成するとともに、前記段状部分の外側に現れる細幅溝を、前記伸縮ガイド手段のガイド溝に構成されている請求項１記載のコーナー用化粧カバー。
【請求項３】
前記中間カバー体の先端面が、第２カバー部の両側壁部と中間カバー体の両側壁部との境界線と平行な傾斜面に形成されているとともに、前記端部カバー体の基端面が、第２カバー部の両側壁部と中間カバー体の両側壁部との境界線と平行な傾斜面に形成されている請求項１又は２記載のコーナー用化粧カバー。
【請求項４】
前記第２カバー部が、第１カバー部の中間カバー体に対して直角に連続して一体成形される第２中間カバー体と、他の化粧カバーとカバー軸線方向から脱着自在に嵌合接続可能な第２継ぎカバー体とに分割構成されている請求項１〜３のいずれか１項に記載のコーナー用化粧カバー。
【請求項５】
交差する二つの被取付け面に取付け可能な取付けベースに、これとの間で前記交差方向に沿って長尺体を配設するための配設空間を形成する横断面形状がコの字状のコーナーカバーが脱着自在に取付けられているコーナー用化粧カバーであって、
前記コーナーカバーにおける一方の被取付け面側に位置する第１カバー部が、他方の被取付け面側に位置する第２カバー部に連続する中間カバー体と、他の化粧カバーと接続可能な継ぎカバー体とに分割構成され、この継ぎカバー体が前記中間カバー体に対して重合部分を維持したまま軸線方向に伸縮移動自在に装着されているとともに、前記継ぎカバー体の左右側壁部の内側下端部と中間カバー体の左右側壁部の外側下端部との相対向する部位には、中間カバーの軸線方向に沿うガイド溝と、このガイド溝に対して移動自在に嵌合するガイド突起とを備え、前記中間カバー体に対して継ぎカバー体を軸線方向にのみ伸縮移動自在に係合状態で案内する伸縮ガイド手段が設けられ、さらに、前記中間カバー体の左右側壁部の内側下端部には、前記取付けベースの左右側辺部に形成された係止爪が係合する係止部が形成されているコーナー用化粧カバー。
【発明の詳細な説明】
【技術分野】
【０００１】
本発明は、例えば、建築物の区画間の壁面に沿って配設される冷媒管やドレン管、ケーブル等の長尺体を覆う化粧カバーで、特に、入隅又は出隅を構成する状態で交差する二つの被取付け面に亘って配設されるコーナー用化粧カバーに関する。
【背景技術】
【０００２】
従来のコーナー用化粧カバーでは、図３０に示すように、入隅を構成する状態で直交する二つの壁面（被取付け面の一例）Ｗ１，Ｗ２に亘って取付け可能な略Ｌ字状の取付けベース５０に、これとの間で前記直交方向に沿って長尺体の一例である空調用配管を配設するための配設空間を形成するコーナーカバー５１が脱着自在に取付けられているとともに、前記コーナーカバー５１における一方の壁面Ｗ１側に位置する第１カバー部５１Ａが、一方の壁面Ｗ１に形成された貫通孔１に挿通される空調用配管の屈曲部分及び前記貫通孔１の周囲を覆う端部カバー部に構成されている。
【発明の開示】
【発明が解決しようとする課題】
【０００３】
図３０に示すように、他方の壁面Ｗ２に取付けられた空調室内機Ａから導出される空調用配管を入隅部で直角に屈曲させながら一方の壁面Ｗ１に形成されている貫通孔１に挿通する場合、前記貫通孔１から他方の壁面Ｗ２までの配管距離が各現場によって相違するため、従来では、前記コーナーカバー５１における一方の壁面Ｗ１側に位置する第１カバー部５１Ａの全長Ｌを、前記貫通孔１までの最大配管距離に対応した長尺な寸法に構成する方法が採られている。
【０００４】
この方法によれば、前記貫通孔１までの配管距離が施工現場毎に異なる場合でも、一種類のコーナー用化粧カバーをもって対応することができる反面、前記貫通孔１までの配管距離が短い場合でも大寸法のコーナー用化粧カバーを取付ける必要があり、しかも、配管距離がスペース的に制限される箇所では使用することができない不都合がある。
【０００５】
それ故に、前記コーナーカバー５１の第１カバー部５１Ａの全長Ｌを、貫通孔１までの配管距離変動に応じて複数種類の寸法に設定し、各施工現場の貫通孔１までの配管距離に対応して長さの異なる複数種類のコーナー用化粧カバーを使い分ける必要があり、コスト的に高く付くとともに、施工現場に複数種類のコーナー用化粧カバーを搬入しなければならない煩わしさがある。
【０００６】
本発明は、上述の実状に鑑みて為されたものであって、その主たる課題は、貫通孔までの配管距離が施工現場毎に異なる場合でも、一種類のコーナー用化粧カバーをもって能率良く容易に対応することができ、しかも、配管距離が短い場合でも圧迫感を与えることなく体裁良く仕上げることのできるコーナー用化粧カバーを提供する点にある。
【課題を解決するための手段】
【０００７】
交差する二つの被取付け面の少なくとも一方に取付け可能な取付けベースに、これとの間で前記交差方向に沿う長尺体用配設空間を形成するコーナーカバーが脱着自在に取付けられているコーナー用化粧カバーであって、
前記コーナーカバーにおける一方の被取付け面側に位置する第１カバー部が、他方の被取付け面側に位置する第２カバー部に連続する中間カバー体と、一方の被取付け面に形成された貫通孔に挿通される長尺体の屈曲部分及び前記貫通孔の周囲を覆う端部カバー体とに分割構成され、この端部カバー体が前記中間カバー体に対して重合を維持したまま軸線方向に伸縮移動自在に装着されている。
【０００８】
上記構成によれば、他方の被取付け面から一方の被取付け面に形成される貫通孔までの配管距離が施工現場毎に異なる場合であっても、交差する二つの被取付け面の少なくとも一方に取付けられた取付けベースに、これとの間で前記交差方向に沿う長尺体用配設空間を形成するコーナーカバーを取付け、このコーナーカバーの中間カバー体に対して重合部分を維持したまま端部カバー体を配管距離に応じて伸縮調節することにより、両被取付け面に沿って貫通孔にまで至る長尺体をそれに適したカバー長さで覆うことができる。
【０００９】
従って、前記貫通孔までの配管距離が施工現場毎に異なる場合でも、一種類のコーナー用化粧カバーを用いながら適切なカバー長さで能率良く容易に対応することができるとともに、配管距離が短い場合でも圧迫感を与えることなく体裁良く仕上げることができる。
【００１０】
交差する二つの被取付け面の少なくとも一方に取付け可能な取付けベースに、これとの間で前記交差方向に沿う長尺体用配設空間を形成するコーナーカバーが脱着自在に取付けられているコーナー用化粧カバーであって、
前記コーナーカバーにおける一方の被取付け面側に位置する第１カバー部が、他方の被取付け面側に位置する第２カバー部に連続する中間カバー体と、一方の被取付け面に形成された貫通孔に挿通される長尺体の屈曲部分及び前記貫通孔の周囲を覆う端部カバー体とに分割構成され、この端部カバー体が前記中間カバー体に対して重合部分を維持したまま軸線方向に伸縮移動自在に装着されているとともに、前記端部カバー体と中間カバー体との相対向する部位には、前記中間カバー体に対して端部カバー体を軸線方向にのみ伸縮移動自在に係合状態で案内する伸縮ガイド手段が設けられている。
【００１１】
上記構成によれば、他方の被取付け面から一方の被取付け面に形成される貫通孔までの配管距離が施工現場毎に異なる場合であっても、交差する二つの被取付け面の少なくとも一方に取付けられた取付けベースに、これとの間で前記交差方向に沿う長尺体用配設空間を形成するコーナーカバーを取付け、このコーナーカバーの中間カバー体に対して重合部分を維持したまま端部カバー体を配管距離に応じて伸縮調節することにより、両被取付け面に沿って貫通孔にまで至る長尺体をそれに適したカバー長さで覆うことができる。
【００１２】
しかも、前記端部カバー体と中間カバー体との相対向する部位に設けた伸縮ガイド手段によって、前記端部カバー体を中間カバー体に対して軸線方向にのみ伸縮移動自在に係合状態で案内することができるから、伸縮ガイド機能を利用して端部カバー体と中間カバー体とが分解することを抑制することができ、壁面等への取付け作業性を改善することができる。
【００１３】
従って、前記貫通孔までの配管距離が施工現場毎に異なる場合でも、一種類のコーナー用化粧カバーを用いながら適切なカバー長さで能率良く容易に対応することができるとともに、配管距離が短い場合でも圧迫感を与えることなく体裁良く仕上げることができ、しかも、伸縮ガイド機能を利用して壁面等への取付け作業の容易化を図ることができる。
【００１４】
交差する二つの被取付け面の少なくとも一方に取付け可能な取付けベースに、これとの間で前記交差方向に沿う長尺体用配設空間を形成するコーナーカバーが脱着自在に取付けられているコーナー用化粧カバーであって、
前記コーナーカバーにおける一方の被取付け面側に位置する第１カバー部が、他方の被取付け面側に位置する第２カバー部に連続する中間カバー体と、一方の被取付け面に形成された貫通孔に挿通される長尺体の屈曲部分及び前記貫通孔の周囲を覆う端部カバー体とに分割構成され、この端部カバー体が前記中間カバー体に対して重合部分を維持したまま軸線方向に伸縮移動自在に装着されているとともに、前記端部カバー体には、一方の被取付け面に固定するための取付け手段が設けられている。
【００１５】
上記構成によれば、他方の被取付け面から一方の被取付け面に形成される貫通孔までの配管距離が施工現場毎に異なる場合であっても、交差する二つの被取付け面の少なくとも一方に取付けられた取付けベースに、これとの間で前記交差方向に沿う長尺体用配設空間を形成するコーナーカバーを取付け、このコーナーカバーの中間カバー体に対して重合部分を維持したまま端部カバー体を配管距離に応じて伸縮調節することにより、両被取付け面に沿って貫通孔にまで至る長尺体をそれに適したカバー長さで覆うことができる。
【００１６】
しかも、前記端部カバー体に設けた取付け手段により、配管距離に応じたカバー長さに伸縮調節された端部カバー体を一方の被取付け面に固定することができ、伸縮調整後の端部カバー体のズレ動きを防止することができる。
【００１７】
従って、前記貫通孔までの配管距離が施工現場毎に異なる場合でも、一種類のコーナー用化粧カバーを用いながら適切なカバー長さで能率良く確実、容易に対応することができるとともに、配管距離が短い場合でも圧迫感を与えることなく体裁良く仕上げることができる。
【００１８】
前記端部カバー体が中間カバー体に伸縮移動自在に外装されているとともに、この端部カバー体の底辺が中間カバー体の底辺と同じ高さ位置に構成されている。
【００１９】
上記構成によれば、前記中間カバー体に端部カバー体を伸縮移動自在に外装することによって、端部カバー全体を伸縮操作のための把持部として活用することができるとともに、その伸縮移動領域の全域に於いて良好なカバー機能を発揮させることができる。
【００２０】
前記伸縮ガイド手段が、伸縮移動自在に装着された中間カバー体の両側壁部と端部カバー体の両側壁部との相対向面に、中間カバー体の軸線方向に沿うガイド溝と、このガイド溝に対して軸線方向に移動自在に嵌合するガイド突起を形成して構成されている。
【００２１】
上記構成によれば、前記端部カバー体と中間カバー体との相対向する部位に設けた伸縮ガイド手段のガイド溝とガイド突起により、前記端部カバー体を中間カバー体に対して軸線方向にのみスムーズに伸縮移動案内することができるとともに、ガイド溝とガイド突起との係合機能を利用して軸線方向以外の方向への分離移動を抑制することができ、壁面等への取付け作業性の改善を図ることができる。
【００２２】
交差する二つの被取付け面の少なくとも一方に取付け可能な取付けベースに、これとの間で前記交差方向に沿って長尺体を配設するための配設空間を形成するコーナーカバーが脱着自在に取付けられているコーナー用化粧カバーであって、
前記コーナーカバーにおける一方の被取付け面側に位置する第１カバー部が、他方の被取付け面側に位置する第２カバー部に連続する中間カバー体と、他の化粧カバーと接続可能な継ぎカバー体とに分割構成され、この継ぎカバー体が前記中間カバー体に対して重合部分を維持したまま軸線方向に伸縮移動自在に装着されているとともに、前記継ぎカバー体と中間カバー体との相対向する部位には、前記中間カバー体に対して端部カバー体を軸線方向にのみ伸縮移動自在に係合状態で案内する伸縮ガイド手段が設けられている。
【００２３】
上記構成によれば、他方の被取付け面から一方の被取付け面に形成される貫通孔までの配管距離が施工現場毎に異なる場合であっても、交差する二つの被取付け面の少なくとも一方に取付けられた取付けベースに、これとの間で前記交差方向に沿う長尺体用配設空間を形成するコーナーカバーを取付け、このコーナーカバーの中間カバー体に対して重合部分を維持したまま継ぎカバー体を配管距離に応じて伸縮調節することにより、一方の被取付け面に沿って配設される他の化粧カバーと確実に接続することができる。
【００２４】
しかも、前記継ぎカバー体と中間カバー体との相対向する部位に設けた伸縮ガイド手段によって、前記継ぎカバー体を中間カバー体に対して軸線方向にのみ伸縮移動自在に係合状態で案内するから、伸縮ガイド機能を利用して継ぎカバー体と中間カバー体とが分解することを抑制することができ、壁面等への取付け作業性を改善することができる。
【００２５】
従って、一方の被取付け面に取付けられる他の化粧カバーとの接続位置が施工現場毎に異なる場合でも、一種類のコーナー用化粧カバーを用いながら適切なカバー長さで能率良く容易に対応することができるとともに、圧迫感を与えることなく体裁良く仕上げることができ、しかも、伸縮ガイド機能を利用して壁面等への取付け作業の容易化を図ることができる。
そして、本発明による第１の特徴構成は、交差する二つの被取付け面に取付け可能な取付けベースに、これとの間で前記交差方向に沿う長尺体用配設空間を形成する横断面形状がコの字状のコーナーカバーが脱着自在に取付けられているコーナー用化粧カバーであって、
前記コーナーカバーにおける一方の被取付け面側に位置する第１カバー部が、他方の被取付け面側に位置する第２カバー部に連続する中間カバー体と、一方の被取付け面に形成された貫通孔に挿通される長尺体の屈曲部分及び前記貫通孔の周囲を覆う端部カバー体とに分割構成され、この端部カバー体が前記中間カバー体に対して重合部分を維持したまま軸線方向に伸縮移動自在に装着されているとともに、前記端部カバー体の左右側壁部の内側下端部と中間カバー体の左右側壁部の外側下端部との相対向する部位には、中間カバー体の軸線方向に沿うガイド溝と、このガイド溝に対して移動自在に嵌合するガイド突起とを備え、前記中間カバー体に対して端部カバー体を軸線方向にのみ伸縮移動自在に係合状態で案内する伸縮ガイド手段が設けられ、さらに、前記中間カバー体の左右側壁部の内側下端部には、前記取付けベースの左右側辺部に形成された係止爪が係合する係止部が形成されている点にある。
本発明による第２の特徴構成は、前記中間カバー体の左右側壁部の下端部を内方側に段状に突出形成して、その段状部分の内側上面を取付けベースの係止爪が係脱可能な前記係止部に構成するとともに、前記段状部分の外側に現れる細幅溝を、前記伸縮ガイド手段のガイド溝に構成されている点にある。
本発明による第３の特徴構成は、前記中間カバー体の先端面が、第２カバー部の両側壁部と中間カバー体の両側壁部との境界線と平行な傾斜面に形成されているとともに、前記端部カバー体の基端面が、第２カバー部の両側壁部と中間カバー体の両側壁部との境界線と平行な傾斜面に形成されている点にある。
本発明による第４の特徴構成は、前記第２カバー部が、第１カバー部の中間カバー体に対して直角に連続して一体成形される第２中間カバー体と、他の化粧カバーとカバー軸線方向から脱着自在に嵌合接続可能な第２継ぎカバー体とに分割構成されている点にある。
本発明による第５の特徴構成は、交差する二つの被取付け面に取付け可能な取付けベースに、これとの間で前記交差方向に沿って長尺体を配設するための配設空間を形成する横断面形状がコの字状のコーナーカバーが脱着自在に取付けられているコーナー用化粧カバーであって、
前記コーナーカバーにおける一方の被取付け面側に位置する第１カバー部が、他方の被取付け面側に位置する第２カバー部に連続する中間カバー体と、他の化粧カバーと接続可能な継ぎカバー体とに分割構成され、この継ぎカバー体が前記中間カバー体に対して重合部分を維持したまま軸線方向に伸縮移動自在に装着されているとともに、前記継ぎカバー体の左右側壁部の内側下端部と中間カバー体の左右側壁部の外側下端部との相対向する部位には、中間カバーの軸線方向に沿うガイド溝と、このガイド溝に対して移動自在に嵌合するガイド突起とを備え、前記中間カバー体に対して継ぎカバー体を軸線方向にのみ伸縮移動自在に係合状態で案内する伸縮ガイド手段が設けられ、さらに、前記中間カバー体の左右側壁部の内側下端部には、前記取付けベースの左右側辺部に形成された係止爪が係合する係止部が形成されている点にある。
【発明を実施するための最良の形態】
【００２６】
〔第１実施形態〕
図１〜図１７は、建物の室内側において入隅部を形成する状態で直交（交差の一例）する二つの壁面（被取付け面の一例）Ｗ１，Ｗ２のうち、一方の壁面Ｗ１に形成された貫通孔１を通して室外側から導入された長尺体の一例である可撓性のある空調用配管Ｐを入隅部に沿って他方の壁面Ｗ２に取付けられた空調用室内機Ａにまで配設してある空調設備において、前記空調用配管Ｐのうち、入隅部から貫通孔１に至る配管部分を覆う合成樹脂製のコーナー用化粧カバーＢと、このコーナー用化粧カバーＢと空調用室内機Ａとの間に位置する配管部分を覆う合成樹脂製の直線用化粧カバーＣが配設されている。
【００２７】
前記コーナー用化粧カバーＢは、直交する両壁面Ｗ１，Ｗ２に亘って取付け可能な略Ｌ字状の取付けベース３と、これに対して脱着自在で、かつ、取付けベース３との間に前記直交方向に沿う空調用配管Ｐ用の配設空間Ｓを形成する横断面形状が略隅切りコの字状のコーナーカバー４とを主要構成として備えているとともに、前記コーナーカバー４における一方の壁面Ｗ１側に位置する第１カバー部４Ａが、他方の壁面Ｗ２側に位置する第２カバー部４Ｂに直角に連続する中間カバー体５と、一方の壁面Ｗ１に形成された貫通孔１に挿通される空調用配管Ｐの屈曲部分及び前記貫通孔１の周囲を覆う端部カバー体６とに分割構成されている。
【００２８】
前記端部カバー体６は、前記中間カバー体５に対して重合部分を維持したままカバー軸線Ｘ方向に伸縮移動自在に外嵌装着され、この端部カバー体６と中間カバー体５との相対向する部位には、前記中間カバー体５に対して端部カバー体６をカバー軸線Ｘ方向にのみ伸縮移動自在に係合状態で案内する伸縮ガイド手段７が設けられているとともに、前記端部カバー体６には、一方の壁面Ｗ１に固定するためのカバー取付け手段８が設けられ、更に、前記取付けベース３には、前記両壁面Ｗ１，Ｗ２に固定するためのベース取付け手段９が設けられている。
【００２９】
前記伸縮ガイド手段７は、伸縮移動自在に装着された中間カバー体５の両側壁部５ｂの外面と端部カバー体６の両側壁部６ｂの内面との相対向する部位に、中間カバー体５のカバー軸線Ｘ方向に沿うガイド溝７ａと、このガイド溝７ａに対してカバー軸線Ｘ方向に移動自在に嵌合するガイド突起７ｂを形成して構成されている。
【００３０】
前記取付けベース３は、一方の壁面Ｗ１にビスや釘等で固定するための前記ベース取付け手段９の第１取付け孔９ａを備えた第１取付け板部３Ａと、他方の壁面Ｗ２にビスや釘等で固定するための前記ベース取付け手段９の第２取付け孔９ｂを備えた第２取付け板部３Ｂとを直角に一体成形して構成されているとともに、前記第１取付け板部３Ａの幅方向両側の側辺部におけるカバー軸線Ｘ方向の中間位置には、中間カバー体５の左右側壁部５ｂの内面に形成された第１係止部１１に係合して、取付けベース３に対してコーナー用化粧カバーＢの中間カバー体５を所定の装着姿勢に保持する第１係止爪１２が形成され、更に、前記第２取付け板部３Ｂの幅方向両側の側辺部におけるカバー軸線Ｘ方向の中間位置には、第２カバー部４Ｂの左右側壁部４ｂの内面に形成された第２係止部１３に係合して、取付けベース３に対してコーナー用化粧カバーＢの第２カバー部４Ｂを所定の装着姿勢に保持する第２係止爪１４が形成されている。
【００３１】
前記コーナー用化粧カバーＢの第２カバー部４Ｂは、天井壁部４ａと左右の側壁部４ｂとを他方の壁面Ｗ２に向かって開口するコの状に一体成形してなり、前記第１カバー部４Ａの一方を構成する中間カバー体５も、天井壁部５ａと左右の側壁部５ｂとを一方の壁面Ｗ１に向かって開口するコの状に一体成形してなり、前記第２カバー部４Ｂの天井壁部４ａと中間カバー体５の天井壁部５ａとが９０度の入隅を形成する状態で一体成形されている。
【００３２】
前記中間カバー体５の先端面５ｃは、第２カバー部４Ｂの両側壁部４ｂと中間カバー体５の両側壁部５ｂとの境界線と平行に４５度の傾斜面に形成されているとともに、前記中間カバー体５の左右側壁部５ｂの下端部で、かつ、前記境界線近傍箇所から傾斜先端面５ｃにわたる細幅帯状の部分５ｄを板厚に略相当する寸法又はそれよりも若干大きな寸法で内方側に段状に突出形成して、その細幅帯状段部分５ｄの内側上面を前記取付けベース３の第１係止爪１２に対して係脱可能な前記の第１係止部１１に構成し、更に、前記細幅帯状段部分５ｄの外側に現れる細幅溝を、前記伸縮ガイド手段７のガイド溝７ａに構成している。
【００３３】
前記端部カバー体６は、天井壁部６ａと左右の側壁部６ｂ及びこれに連続して貫通孔１の半周囲を覆う半円筒状側壁部６ｃとを一体成形して構成され、前記両側壁部６ｂ及び半円筒状側壁部６ｃには、壁面Ｗ１の貫通孔１の開口周縁に当接するＣ形円環状のフランジ部６ｄが一体形成されているとともに、前記端部カバー体６の両側壁部６ｂ及び半円筒状側壁部６ｃの各底辺が中間カバー体の底辺と同じ高さ位置に構成されている。
【００３４】
更に、前記Ｃ形円環状フランジ部６ｄのカバー軸線Ｘ上に位置する部位には、一方の壁面Ｗ１にビスや釘等で固定するための前記カバー取付け手段８の一例である第１取付け孔８ａが形成されているとともに、前記端部カバー体６の基端面６ｅは、第２カバー部４Ｂの両側壁部４ｂと中間カバー体５の両側壁部５ｂとの境界線と平行に４５度の傾斜面に形成されている。
【００３５】
前記端部カバー体６の左右側壁部６ｂの内面における中間カバー体５側の端部近傍箇所には、前記中間カバー体５の左右側壁部５ｂに形成されたガイド溝７ａの開口端に対してカバー軸線Ｘ方向から摺動自在に係入する前記ガイド突起７ｂが一体形成され、該ガイド突起７ｂがガイド溝７ａ内に位置する状態では、端部カバー体６と中間カバー体５との重合状態が維持され、前記ガイド突起７ｂがガイド溝７ａから少し抜け出した時点で端部カバー体６と中間カバー体５との重合状態が解除されるように構成されている。
【００３６】
そして、他方の壁面Ｗ２から一方の壁面Ｗ１に形成される貫通孔１の中心までの配管距離が施工現場毎に異なる場合であっても、図３、図７に示すように、入隅部を形成する状態で直交する二つの壁面Ｗ１，Ｗ２に亘って取付けられた取付けベース３に、これとの間で前記直交方向に沿う空調用配管Ｐの配設空間Ｓを形成するコーナーカバー４のうち、一方の壁面Ｗ１側に位置する第１カバー部４Ａの中間カバー体５と他方の壁面Ｗ２側に位置する第２カバー部４Ｂとの一体物であるカバー本体を、前記第１係止部１１と第１係止爪１２及び第２係止部１３と第２係止爪１４を介して取付けたのち、このカバー本体の中間カバー体５に対して重合部分を維持したまま端部カバー体６を配管距離に応じてカバー軸線Ｘ方向に伸縮調節することにより、両壁面Ｗ１，Ｗ２に沿って貫通孔１にまで至る空調用配管Ｐをそれに適したカバー長さで確実に覆うことができる。
【００３７】
しかも、前記端部カバー体６の左右側壁部６ｂと中間カバー体５の左右側壁部５ｂとの相対向する部位に設けた伸縮ガイド手段７によって、前記端部カバー体６を中間カバー体５に対してカバー軸線Ｘ方向にのみ伸縮移動自在に係合状態で案内することができるから、伸縮ガイド機能を利用して端部カバー体６と中間カバー体５とが伸縮方向以外の方向に分解することを抑制することができ、両壁面Ｗ１，Ｗ２面等への取付け作業性を改善することができる。
【００３８】
従って、前記貫通孔１までの配管距離が施工現場毎に異なる場合でも、一種類のコーナー用化粧カバーＢを用いながら適切なカバー長さで能率良く容易に対応することができるとともに、配管距離が短い場合でも圧迫感を与えることなく体裁良く仕上げることができ、しかも、伸縮ガイド機能を利用して壁面Ｗ１，Ｗ２等への取付け作業の容易化を図ることができる。
【００３９】
前記直線用化粧カバーＣは、前記壁面Ｗ２にビス止め固定するための取付け孔を備えた横断面略上向きコの字状の取付けベース１７と、この取付けベース１７に対して外嵌状態で脱着自在に係合装着可能で、かつ、装着時に取付けベース１７との間で直線状の配管空間を形成する横断面略下向きコの字状の直線カバー１８とからなり、前記コーナー用化粧カバーＢに対してカバー軸線Ｘ方向から内嵌接続可能に構成されている。
【００４０】
〔第２実施形態〕
図１８〜図２１は、空調設備の空調用配管Ｐのうち、入隅部から貫通孔１に至る配管部分を覆う合成樹脂製のコーナー用化粧カバーＢの別実施形態を示し、直交（交差の一例）する両壁面Ｗ１，Ｗ２に亘って取付け可能な略Ｌ字状の取付けベース３と、これに対して脱着自在で、かつ、取付けベース３との間に前記直交方向に沿う空調用配管Ｐ用の配設空間Ｓを形成する横断面形状が略隅切りコの字状のコーナーカバー４とを主要構成として備えているとともに、前記コーナーカバー４における一方の壁面Ｗ１側に位置する第１カバー部４Ａが、他方の壁面Ｗ２側に位置する第２カバー部４Ｂに直角に連続する中間カバー体５と、他の化粧カバーＣとカバー軸線Ｘ方向から脱着自在に嵌合接続可能な継ぎカバー体１０とに分割構成されている。
【００４１】
前記継ぎカバー体１０は、前記中間カバー体５に対して重合部分を維持したままカバー軸線Ｘ方向に伸縮移動自在に外嵌装着され、この継ぎカバー体１０と中間カバー体５との相対向する部位には、前記中間カバー体５に対して継ぎカバー体１０をカバー軸線Ｘ方向にのみ伸縮移動自在に係合状態で案内する伸縮ガイド手段７が設けられているとともに、前記継ぎカバー体１０には、一方の壁面Ｗ１に固定するためのカバー取付け手段８が設けられ、更に、前記取付けベース３には、前記両壁面Ｗ１，Ｗ２に固定するためのベース取付け手段９が設けられている。
【００４２】
前記伸縮ガイド手段７は、上述の第１実施形態と同様に、伸縮移動自在に装着された中間カバー体５の両側壁部５ｂの外面と継ぎカバー体１０の両側壁部１０ｂの内面との相対向する部位に、中間カバー体５のカバー軸線Ｘ方向に沿うガイド溝７ａと、このガイド溝７ａに対してカバー軸線Ｘ方向に移動自在に嵌合するガイド突起７ｂを形成して構成されている。
【００４３】
前記取付けベース３は、上述の第１実施形態と同様に、一方の壁面Ｗ１にビスや釘等で固定するための前記ベース取付け手段９の第１取付け孔９ａを備えた第１取付け板部３Ａと、他方の壁面Ｗ２にビスや釘等で固定するための前記ベース取付け手段９の第２取付け孔９ｂを備えた第２取付け板部３Ｂとを直角に一体成形して構成されている。
【００４４】
前記コーナー用化粧カバーＢの第２カバー部４Ｂは、天井壁部４ａと左右の側壁部４ｂとを他方の壁面Ｗ２に向かって開口するコの状に一体成形してなり、前記第１カバー部４Ａの一方を構成する中間カバー体５も、天井壁部５ａと左右の側壁部５ｂとを一方の壁面Ｗ１に向かって開口するコの状に一体成形してなり、前記第２カバー部４Ｂの天井壁部４ａと中間カバー体５の天井壁部５ａとが９０度の入隅を形成する状態で一体成形されている。
【００４５】
前記中間カバー体５の先端面５ｃは、第２カバー部４Ｂの両側壁部４ｂと中間カバー体５の両側壁部５ｂとの境界線と平行に４５度の傾斜面に形成されているとともに、前記中間カバー体５の左右側壁部５ｂの下端部で、かつ、前記境界線近傍箇所から傾斜先端面５ｃにわたる細幅帯状の部分５ｄを板厚に略相当する寸法又はそれよりも若干大きな寸法で内方側に段状に突出形成して、その細幅帯状段部分５ｄの外側に現れる細幅溝を、前記伸縮ガイド手段７のガイド溝７ａに構成している。
【００４６】
前記継ぎカバー体１０は、天井壁部１０ａと左右の側壁部１０ｂとを一方の壁面Ｗ１に向かって開口するコの状に一体成形してなり、前記両側壁部１０ｂに一体形成された取付け片１０ｄには、一方の壁面Ｗ１にビスや釘等で固定するための前記カバー取付け手段８の一例である第２取付け孔８ｂが形成されているとともに、前記継ぎカバー体１０の基端面１０ｃは、第２カバー部４Ｂの両側壁部４ｂと中間カバー体５の両側壁部５ｂとの境界線と平行に４５度の傾斜面に形成されている。
【００４７】
前記継ぎカバー体１０の左右側壁部１０ｂの内面における中間カバー体５側の端部近傍箇所には、前記中間カバー体５の左右側壁部５ｂに形成されたガイド溝７ａの開口端に対してカバー軸線Ｘ方向から摺動自在に係入する前記ガイド突起７ｂが一体形成され、該ガイド突起７ｂがガイド溝７ａ内に位置する状態では、継ぎカバー体１０と中間カバー体５との重合状態が維持され、前記ガイド突起７ｂがガイド溝７ａから少し抜け出した時点で継ぎカバー体１０と中間カバー体５との重合状態が解除されるように構成されている。
尚、その他の構成は、第１実施形態で説明した構成と同一であるから、同一の構成箇所には、第１実施形態と同一の番号を付記してそれの説明は省略する。
【００４８】
〔第３実施形態〕
図２２、図２３は入隅部に取付けられるコーナー用化粧カバーＢの別実施形態を示し、直交（交差の一例）する両壁面Ｗ１，Ｗ２に亘って取付け可能な略Ｌ字状の取付けベース３と、これに対して脱着自在で、かつ、取付けベース３との間に前記直交方向に沿う空調用配管Ｐ用の配設空間Ｓを形成する横断面形状が略隅切りコの字状のコーナーカバー４とを主要構成として備えているとともに、前記コーナーカバー４における一方の壁面Ｗ１側に位置する第１カバー部４Ａが、他方の壁面Ｗ２側に位置する第２カバー部４Ｂに直角に連続する中間カバー体５と、一方の壁面Ｗ１に形成された貫通孔１に挿通される空調用配管Ｐの屈曲部分及び前記貫通孔１の周囲を覆う端部カバー体６とに分割構成され、更に、前記第２カバー部４Ｂが、第１カバー部４Ａの中間カバー体５に対して直角に連続して一体成形される第２中間カバー体２０と、他の化粧カバーＣとカバー軸線Ｘ方向から脱着自在に嵌合接続可能な第２継ぎカバー体２１とに分割構成されている。
【００４９】
前記第２中間カバー体２０は、天井壁部２０ａと左右の側壁部２０ｂとを他方の壁面Ｗ２に向かって開口するコの状に一体成形され、また、前記第２継ぎカバー体２１は、天井壁部２１ａと左右の側壁部２１ｂとを他方の壁面Ｗ２に向かって開口するコの状に一体成形されているとともに、前記第２中間カバー体２０の先端面２０ｃ及び第２継ぎカバー体２１の基端面２１ｃの各々は、第１カバー部４Ａの中間カバー体５における両側壁部５ｂと第２中間カバー体２０の両側壁部２０ｂとの境界線と平行に４５度の傾斜面に形成されている。
【００５０】
前記第２継ぎカバー体２１の形状及びこれと第２中間カバー体２０との取付け構造以外の構成は、上述の第１実施形態で説明した構成と同一であるため、それらの説明は省略する。
【００５１】
〔第４実施形態〕
図２４、図２５は入隅部に取付けられるコーナー用化粧カバーＢの別実施形態を示し、直交（交差の一例）する両壁面Ｗ１，Ｗ２に亘って取付け可能な略Ｌ字状の取付けベース３と、これに対して脱着自在で、かつ、取付けベース３との間に前記直交方向に沿う空調用配管Ｐ用の配設空間Ｓを形成する横断面形状が略隅切りコの字状のコーナーカバー４とを主要構成として備えているとともに、前記コーナーカバー４における一方の壁面Ｗ１側に位置する第１カバー部４Ａが、他方の壁面Ｗ２側に位置する第２カバー部４Ｂに直角に連続する中間カバー体５と、他の化粧カバーＣとカバー軸線Ｘ方向から脱着自在に嵌合接続可能な継ぎカバー体１０とに分割構成され、更に、前記第２カバー部４Ｂが、第１カバー部４Ａの中間カバー体５に対して直角に連続して一体成形された第２中間カバー体２０と、他の化粧カバーＣとカバー軸線Ｘ方向から脱着自在に嵌合接続可能な第２継ぎカバー体２１とに分割構成されている。
【００５２】
前記第２継ぎカバー体２１の形状及びこれと第２中間カバー体２０との取付け構造は、上述の第３実施形態の第２継ぎカバー体２１の形状及びこれと第２中間カバー体２０との取付け構造と同一であり、それ以外の構成は、上述の第１実施形態で説明した構成と同一であるため、それらの説明は省略する。
【００５３】
〔第５実施形態〕
図２６、図２７は出隅部に取付けられるコーナー用化粧カバーＢの別実施形態を示し、出隅部を形成する状態で直交する両壁面Ｗ１，Ｗ２に亘って取付け可能な略Ｌ字状の取付けベース３と、これに対して脱着自在で、かつ、取付けベース３との間に前記直交方向に沿う空調用配管Ｐ用の配設空間Ｓを形成する横断面形状が略隅切りコの字状のコーナーカバー４とを主要構成として備えているとともに、前記コーナーカバー４における一方の壁面Ｗ１側に位置する第１カバー部４Ａが、他方の壁面Ｗ２側に位置する第２カバー部４Ｂに直角に連続する中間カバー体５と、一方の壁面Ｗ１に形成された貫通孔１に挿通される空調用配管Ｐの屈曲部分及び前記貫通孔１の周囲を覆う端部カバー体６に分割構成されている。
【００５４】
前記端部カバー体６は、前記中間カバー体５に対して重合部分を維持したままカバー軸線Ｘ方向に伸縮移動自在に外嵌装着され、この端部カバー体６と中間カバー体５との相対向する部位には、前記中間カバー体５に対して端部カバー体６をカバー軸線Ｘ方向にのみ伸縮移動自在に係合状態で案内する伸縮ガイド手段７が設けられているとともに、前記端部カバー体６には、一方の壁面Ｗ１に固定するためのカバー取付け手段８が設けられ、更に、前記取付けベース３には、前記両壁面Ｗ１，Ｗ２に固定するためのベース取付け手段９が設けられている。
【００５５】
上述の第１実施形態と比較すると、前記一方の壁面Ｗ１側に位置する第１カバー部４Ａの中間カバー体５と他方の壁面Ｗ２側に位置する第２カバー部４Ｂとの一体物であるカバー本体の屈曲方向、及び、取付けベース３の屈曲方向が逆転するだけであり、それ以外の構造は第１実施形態と同一である。
【００５６】
〔第６実施形態〕
図２８、図２９は出隅部に取付けられるコーナー用化粧カバーＢの別実施形態を示し、出隅部を形成する状態で直交（交差の一例）する両壁面Ｗ１，Ｗ２に亘って取付け可能な略Ｌ字状の取付けベース３と、これに対して脱着自在で、かつ、取付けベース３との間に前記直交方向に沿う空調用配管Ｐ用の配設空間Ｓを形成する横断面形状が略隅切りコの字状のコーナーカバー４とを主要構成として備えているとともに、前記コーナーカバー４における一方の壁面Ｗ１側に位置する第１カバー部４Ａが、他方の壁面Ｗ２側に位置する第２カバー部４Ｂに直角に連続する中間カバー体５と、他の化粧カバーＣとカバー軸線Ｘ方向から脱着自在に嵌合接続可能な継ぎカバー体１０とに分割構成されている。
【００５７】
前記継ぎカバー体１０は、前記中間カバー体５に対して重合部分を維持したままカバー軸線Ｘ方向に伸縮移動自在に外嵌装着され、この継ぎカバー体１０と中間カバー体５との相対向する部位には、前記中間カバー体５に対して継ぎカバー体１０をカバー軸線Ｘ方向にのみ伸縮移動自在に係合状態で案内する伸縮ガイド手段７が設けられているとともに、前記端部カバー体６には、一方の壁面Ｗ１に固定するためのカバー取付け手段８が設けられ、更に、前記取付けベース３には、前記両壁面Ｗ１，Ｗ２に固定するためのベース取付け手段９が設けられている。
【００５８】
上述の第２実施形態と比較すると、前記一方の壁面Ｗ１側に位置する第１カバー部４Ａの中間カバー体５と他方の壁面Ｗ２側に位置する第２カバー部４Ｂとの一体物であるカバー本体の屈曲方向、及び、前記取付けベース３の屈曲方向が逆転するだけであり、その他の構造は第２実施形態と同一である。
【００５９】
〔その他の実施形態〕
（１）上述の第３実施形態のコーナー用化粧カバーＢ及び第４実施形態のコーナー用化粧カバーＢを、上述の第５実施形態のコーナー用化粧カバーＢ及び第６実施形態のコーナー用化粧カバーＢと同様に出隅部に取付け可能な形態に構成してもよい。
【００６０】
（２）上述の各実施形態では、前記直交する両壁面Ｗ１，Ｗ２にわたって取付けベース３を固定したが、この取付けベース３を両壁面Ｗ１，Ｗ２のいずれか一方に固定してもよい。
【００６１】
（３）上述の各実施形態では、前記交差する二つの被取付け面Ｗ１，Ｗ２として、直交する両壁面を例に挙げて説明したが、入隅又は出隅を構成する天井面や床面等に取付けてもよく、また、前記被取付け面Ｗ１，Ｗ２の交差角度は鈍角又は鋭角であってもよく、更に、前記被取付け面Ｗ１，Ｗ２が非連続状態で交差していてもよい。
【００６２】
（４）前記伸縮ガイド手段７としては、端部カバー体６と中間カバー体５との相対向する部位において、前記中間カバー体５に対して端部カバー体６をカバー軸線Ｘ方向にのみ伸縮移動自在に係合状態で案内することのできるものであれば、如何なる構造のものを採用しても良い。
【００６３】
（５）上述の第１実施形態では、前記端部カバー体６を一方の壁面Ｗ１に固定するためのカバー取付け手段８として、ビスや釘等に対する第１取付け孔８ａを形成したが、これに限定されるものではなく、例えば、接着剤や両面テープ等でカバー取付け手段８を構成してもよい。
【図面の簡単な説明】
【００６４】
【図１】本願発明の第１実施形態を示すコーナー用化粧カバーの使用時の概略平面図
【図２】コーナー用化粧カバーの収縮時の正面図
【図３】コーナー用化粧カバーの収縮時の側面図
【図４】コーナー用化粧カバーの収縮時の背面図
【図５】図２におけるＶ−Ｖ線断面図
【図６】コーナー用化粧カバーの伸展時の正面図
【図７】コーナー用化粧カバーの伸展時の側面図
【図８】コーナー用化粧カバーの伸展時の背面図
【図９】図３におけるＩＸ−ＩＸ線断面図
【図１０】図６におけるＸ−Ｘ線断面図
【図１１】取付けベースの側面図
【図１２】取付けベースの背面図
【図１３】本体カバーの側面図
【図１４】本体カバーの背面図
【図１５】端部カバー体の背面図
【図１６】端部カバー体の底面図
【図１７】図１の直線用化粧カバーにおけるＸＶＩＩ−ＸＶＩＩ線断面図
【図１８】本願発明の第２実施形態を示すコーナー用化粧カバーの正面図
【図１９】コーナー用化粧カバーの側面図
【図２０】コーナー用化粧カバーの背面図
【図２１】コーナー用化粧カバーの縦断面図
【図２２】本願発明の第３実施形態を示すコーナー用化粧カバーの側面図
【図２３】コーナー用化粧カバーの縦断面図
【図２４】本願発明の第４実施形態を示すコーナー用化粧カバーの側面図
【図２５】コーナー用化粧カバーの縦断面図
【図２６】本願発明の第５実施形態を示すコーナー用化粧カバーの側面図
【図２７】コーナー用化粧カバーの縦断面図
【図２８】本願発明の第６実施形態を示すコーナー用化粧カバーの側面図
【図２９】コーナー用化粧カバーの縦断面図
【図３０】従来のコーナー用化粧カバーの使用状態を示す概略斜視図
【符号の説明】
【００６５】
Ｂ        コーナー用化粧カバー
Ｃ        化粧カバー
Ｐ        長尺体（空調用配管）
Ｓ        配設空間
Ｗ１      被取付け面（壁面）
Ｗ２      被取付け面（壁面）
Ｘ        軸芯（カバー軸芯）
１        貫通孔
３        取付けベース
４        コーナーカバー
４Ａ      第１カバー部
４Ｂ      第２カバー部
５        中間カバー体
６        端部カバー体
７        伸縮ガイド手段
７ａ      ガイド溝
７ｂ      ガイド突起
８        取付け手段（カバー取付け手段）
９        取付け手段（ベース取付け手段）
１０      継ぎカバー体
【図１】
0004847773.tif 000002
【図２】
0004847773.tif 000003
【図３】
0004847773.tif 000004
【図４】
0004847773.tif 000005
【図５】
0004847773.tif 000006
【図６】
0004847773.tif 000007
【図７】
0004847773.tif 000008
【図８】
0004847773.tif 000009
【図９】
0004847773.tif 000010
【図１０】
0004847773.tif 000011
【図１１】
0004847773.tif 000012
【図１２】
0004847773.tif 000013
【図１３】
0004847773.tif 000014
【図１４】
0004847773.tif 000015
【図１５】
0004847773.tif 000016
【図１６】
0004847773.tif 000017
【図１７】
0004847773.tif 000018
【図１８】
0004847773.tif 000019
【図１９】
0004847773.tif 000020
【図２０】
0004847773.tif 000021
【図２１】
0004847773.tif 000022
【図２２】
0004847773.tif 000023
【図２３】
0004847773.tif 000024
【図２４】
0004847773.tif 000025
【図２５】
0004847773.tif 000026
【図２６】
0004847773.tif 000027
【図２７】
0004847773.tif 000028
【図２８】
0004847773.tif 000029
【図２９】
0004847773.tif 000030
【図３０】
0004847773.tif 000031